(57)【特許請求の範囲】
【請求項１】
壁式スイッチに並列に接続され、通過する交流電源を非正常電圧の交流電源に変換してソケットに供給する電子素子であって、該電子素子が降圧を発生する抵抗であるか、或いは、位相差を発生するダイオードであり、透過可能のケーシングを有し、該ケーシングの内部に収納空間が形成され、また、該ケーシングにジョイントが連接され、従来のソケットに実装されることができ、また、該ソケットと電気的に接続され、該ジョイントが、上記壁式スイッチから上記ソケットを介して供給される正常電圧の交流電源を、或いは上記電子素子から成るバイパス回線と上記ソケットを介して供給される非正常電圧の交流電源を受けるバルブ本体と、
上記バルブ本体の上記収納空間に実装され、該バルブ本体の上記ジョイントに連接され、該ジョイントから供給された正常電圧や非正常電圧の交流電源を受け、該交流電源を直流電源に変換する電源処理回路と、
上記バルブ本体の上記収納空間に実装され、上記電源処理回路に連接され、該電源処理回路から供給された直流電源を検出でき、該直流電源が正常電圧や非正常電圧の直流電源であることを検出した時、正常信号を送信して、開放回路状態になり、また、該直流電源の電圧値がゼロであることを検出した時、停電信号を送信して、導通状態になる検出スイッチと、
上記バルブ本体の上記収納空間に実装され、上記電源処理回路に連接され、該電源処理回路から供給された直流電源を受け、充電できる直流電源を供給する充電回路と、
上記バルブ本体の上記収納空間に実装され、上記充電回路に連接され、該充電回路が供給した直流電源を受けて充電を行い、さらに、上記検出スイッチに連接され、該検出スイッチが導通状態である時、該検出スイッチを介して直流電源を供給する充電電池と、
上記バルブ本体の上記収納空間に実装され、それぞれ、上記電源処理回路と上記検出スイッチが、連接され、該電源処理回路が供給した正常電圧や非正常電圧の直流電源を受け、或いは、上記充電電池から上記検出スイッチを介して供給された直流電源を受ける駆動回路と、
それぞれ、上記充電回路と充電電池及び検出スイッチが連接され、該検出スイッチが送信した正常信号を受信した時、上記充電回路に、上記充電電池に充電することを指示し、また、上記検出スイッチが送信した停電信号を受信した時、上記充電電池に、上記検出スイッチを介して上記駆動回路に対して直流電源を供給するように指示するマイクロプロセッサと、
上記バルブ本体の上記収納空間に実装され、上記駆動回路に連接され、上記電源処理回路が、該駆動回路を介して供給した正常電圧の直流電源を受けた時、照明し、或いは、上記充電電池が、上記検出スイッチと駆動回路を介して供給された直流電源を受けた時、照明し、或いは、上記電源処理回路から駆動回路を介して供給された非正常電圧の直流電源を受ける時、消灯する光源と、が含有される、ことを特徴とする壁式スイッチにより制御された従来ソケットに適用される知能型バルブセット。
【請求項２】
前記光源は、少なくとも一つのＬＥＤバルブから構成されることを特徴とする請求項１に記載の壁式スイッチにより制御された従来ソケットに適用される知能型バルブセット。
【請求項３】
前記壁式スイッチがオフ（ＯＦＦ）状態に切換えられる時、ソケットが、降圧を発生する交流電源を受けることを特徴とする請求項１に記載の壁式スイッチにより制御された従来ソケットに適用される知能型バルブセット。
【請求項４】
前記壁式スイッチがオフ（ＯＦＦ）状態に切換えられる時、ソケットが、位相差を発生する交流電源を受けることを特徴とする請求項１に記載の壁式スイッチにより制御された従来ソケットに適用される知能型バルブセット。
【請求項５】
前記マイクロプロセッサは、更に、人体検出器や地震検出器、火災検出器及び警報器から選ばれた何れの一つやその組み合せが連接されることを特徴とする請求項１に記載の壁式スイッチにより制御された従来ソケットに適用される知能型バルブセット。
【発明の詳細な説明】
【技術分野】
【０００１】
本発明は、バルブに関し、特に、壁式スイッチにより制御される従来ソケットに適用される知能型バルブセットに関する。
【背景技術】
【０００２】
一般の従来のバルブは、幅広く利用され、特に、壁式スイッチにより制御されるバルブが、最も常用されるものであり、住宅やオフィス或いは各会場に対して、照明として利用される。
【発明の開示】
【発明が解決しようとする課題】
【０００３】
一般の従来のバルブは、周囲に、必要とする照明に利用されるだけができ、他の用途や機能がなく、時に、電力遮断の時、その基本な照明機能も發揮できなく、非常用照明灯を利用しかできないが、該非常用照明灯は、余計な工事で実装することが必要するため、灯具や工事のコストが高くなり、また、美観性が悪くなり、また、非常用照明灯は、平時に、照明や他の用途に適用できないため、必ず必要としない場合、大部分の人や業者は、主動的に、非常用照明灯を実装しなく、そのため、災害による電力遮断や火災等の事故が発生したら、利用可能の非常用照明設備がなく、危険を来たす。
【課題を解決するための手段】
【０００４】
本発明に係わる壁式スイッチ所制御の従来ソケット上的知能型バルブセットは、壁式スイッチがオフ（ＯＦＦ）である時、電位差や電源位相差を発生する、壁式スイッチに並列に接続されるバイパス回線（ｂｙｐａｓｓ）があり、上に抵抗やダイオードが設けられ、更に、バルブ本体とバルブ本体の内部に位置する電源処理回路、検出スイッチ、充電回路、充電電池、駆動回路、マイクロプロセッサ及び光源から構成され、従来のソケット上に実装される知能型バルブがある。
【０００５】
本発明に係わる知能型バルブセットは、壁式スイッチが正常に電力を供給時、オン／オフされる場合、それぞれ、知能型バルブの光源を制御して点灯するか消灯し、また、停電が発生した時、壁式スイッチが、オン状態であってもオフ状態であっても、該知能型バルブの光源が、即時に駆動され、充電電池により電力が供給されて、非常用照明を提供できる効果が得られる。
【発明を実施するための最良の形態】
【０００６】
図１を参照しながら、本発明は、壁式スイッチによって制御される従来ソケットに適用できる知能型バルブセットのより良い実施例であり、該知能型バルブセットは、主として、バイパス回線（ｂｙｐａｓｓ）１０と知能型バルブ２０が備えられ、これにより、該知能型バルブセットが、壁式スイッチ３０により制御される従来のソケット４０に適用でき、また、該壁式スイッチ３０に主電源５０が連接され、該主電源５０から壁式スイッチ３０に対して交流電源を供給し、また、壁式スイッチ３０でスイッチ（ＯＮ／ＯＦＦ）の切換えを制御し、また、該知能型バルブ２０は、更に、バルブ本体２１と電源処理回路２２、検出スイッチ２３、充電回路２４、充電電池２５、駆動回路２６、マイクロプロセッサ２７及び光源２８が備えられ、
該バイパス回線１０は、壁式スイッチ３０に並列に接続され、その上に、電子素子が設置され、該電子素子は、抵抗１１やダイオード１２であり、図３のように、壁式スイッチ３０が、オン（ＯＮ）状態に切換えられた時、該主電源５０が、壁式スイッチ３０を導通することにより、正常電圧の交流電源をソケット４０に伝送し、また、壁式スイッチ３０が、オフ（ＯＦＦ）状態に切換えられる時、該壁式スイッチ３０が、開放回路を形成し、主電源５０が、壁式スイッチ３０に並列に接続されたバイパス回線１０を通過し、通過したバイパス回線１０が、抵抗１１である時、降圧電位差が発生し、また、通過したバイパス回線１０が、ダイオード１２である時、電源位相差が発生し、ソケット４０に対して、降圧電圧や位相差を発生する交流電源が送られ、また、停電の時、該主電源５０からソケット４０に対して交流電源を供給しなく、
該バルブ本体２１は、透過可能のケーシング２１１があり、該ケーシング２１１は、内部に、収納空間２１２が形成され、一端に、従来のソケット４０に実装できるジョイント２１３が連接され、また、ソケット４０に電気的に接続され、これにより、該ジョイント２１３が、壁式スイッチ３０からソケット４０を介して供給された正常電圧の交流電源を受け、或いは、バイパス回線１０からソケット４０を介して供給された非正常電圧の交流電源を受け、該非正常電圧の交流電源とは、上記の主電源５０から供給された、バイパス回線１０により降圧が発生した交流電源や位相差が発生した交流電源を指し、
該電源処理回路２２は、バルブ本体２１の収納空間２１２に実装され、また、バルブ本体２１のジョイント２１３に連接され、これにより、該電源処理回路２２は、ジョイント２１３が供給した正常電圧や非正常電圧の交流電源を受けて、それを正常電圧や非正常電圧の直流電源に変換し、
該検出スイッチ２３は、バルブ本体２１の収納空間２１２に実装され、また、電源処理回路２２に連接され、これにより、電源処理回路２２が供給した直流電源を検出し、該直流電源が正常電圧や非正常電圧の直流電源を検出した時、該検出スイッチ２３が、正常信号を送信し、検出スイッチ２３が開放回路状態になり、また、該直流電源の電圧値がゼロであることを検出する時、停電信号を送信し、検出スイッチ２３が、導通状態になり、
該充電回路２４は、バルブ本体２１の収納空間２１２に実装され、また、電源処理回路２２に連接され、これにより、電源処理回路２２が供給した直流電源を受けて、充電のための直流電源を提供し、
該充電電池２５は、バルブ本体２１の収納空間２１２に実装され、また、充電回路２４に連接され、これにより、充電回路２４が供給した直流電源を受けて充電を行い、また、該充電電池２５に、更に、検出スイッチ２３が連接され、これにより、検出スイッチ２３が導通状態になる時、検出スイッチ２３で直流電源を供給でき、
該駆動回路２６は、バルブ本体２１の収納空間２１２に実装され、また、それぞれ、電源処理回路２２と検出スイッチ２３が連接され、これにより、電源処理回路２２が供給した正常電圧や非正常電圧の直流電源を受け、或いは、充電電池２５が、検出スイッチ２３を介して供給した直流電源を受けることができ、
該マイクロプロセッサ２７は、それぞれ、充電回路２４と充電電池２５及び検出スイッチ２３が連接され、検出スイッチ２３からの正常信号を受信した時、充電回路２４に、充電電池２５に対して充電することを指示し、また、検出スイッチ２３からの停電信号を受信した時、充電電池２５に、検出スイッチ２３を介して駆動回路２６に直流電源を供給するように、指示し、
該光源２８は、バルブ本体２１の収納空間２１２に実装され、また、駆動回路２６に連接され、これにより、光源２８が、電源処理回路２２から駆動回路２６を介して供給された正常電圧の直流電源を受ける時、駆動されて照明し、或いは、充電電池２５から検出スイッチ２３を介して、駆動回路２６が供給された直流電源を受ける時、自動的に駆動されて照明し、或いは、電源処理回路２２から駆動回路２６を介して供給された非正常電圧の直流電源を受ける時、オフされて消灯する。
【０００７】
次に、上記の知能型バルブ２０の電源処理回路２２と検出スイッチ２３、充電回路２４、充電電池２５、駆動回路２６及びマイクロプロセッサ２７が、回路板（図に未表示）に設置され、バルブ本体２１の収納空間２１２に設置されても良い。
【０００８】
図２のように、本発明の他の実施例の知能型バルブ２０は、マイクロプロセッサ２７に、必要に応じて、更に、人体検出器２９１や地震検出器２９２、火災検出器２９３及び警報器２９４から選ばれた何れかの一つやその組み合せが実装され、該人体検出器２９１や地震検出器２９２、火災検出器２９３及び警報器２９４は、バルブ本体２１の外部に位置し、また、天井や壁面の適当な位置に実装され、これにより、人体が経過した時や地震や火災が発生した時、快速的に検知や検出でき、また、最適な位置で、警報を発して、最適な警報効果が得られる。
【０００９】
以下、実施例を挙げながら、本発明の構造特徴や技術手段及び予期の効果について、詳しく説明する。
【００１０】
図１は、本発明のより良い実施例の知能型バルブセットを実装実施例とし、実装する時、まず、ユーザーにニーズに応じて、適当な、壁式スイッチ３０によって制御された従来ソケット４０を選択し、該従来ソケット４０に、本発明の知能型バルブ２０を実装し、また、該壁式スイッチ３０に、本発明のバイパス回線（ｂｙｐａｓｓ）１０を並列に接続し、該バイパス回線１０が、抵抗１１であり、これにより、簡単に知能型バルブ２０の実装作業が終了される。以下は、該知能型バルブ２０の使用状態について詳しく説明する。
【００１１】
主電源電力が正常に供給される状態である時、
（１）ユーザーが、壁式スイッチ３０をオン（ＯＮ）状態に切換える時、該主電源５０は、壁式スイッチ３０を介して、ソケット４０に正常電圧の交流電源を供給し、また、バルブ本体２１のジョイント２１３を介して、電源処理回路２２に転送して、直流電源に変換され、これにより、検出スイッチ２３が、正常電圧の直流電源を検出した後、開放回路状態になり、正常信号をマイクロプロセッサ２７へ伝送し、マイクロプロセッサ２７により、充電回路２４が充電電池２５に対して充電するように指示し、また、該電源処理回路２２により、同時に、駆動回路２６に対して直流電源を供給し、そして、駆動回路２６で光源２８を駆動して照明する。また、本発明の知能型バルブ２０は、図２のような火災や地震等の検出回路が実装される時、該火災検出２９３や地震検出２９２により、即時に火災や地震を検出でき、マイクロプロセッサ２７に対して、検出信号を送信し、これにより、マイクロプロセッサ２７は、警報回路２９４に、点滅や音声により警報することができる。
【００１２】
（２）ユーザーが、壁式スイッチ３０をオフ（ＯＦＦ）状態に切換える時、該壁式スイッチ３０が、開放回路状態であるため、該主電源５０の交流電源が、壁式スイッチ３０に並列に接続されるバイパス回線１０を介してソケット４０に降圧が発生した非正常電圧の交流電源を供給し、また、バルブ本体２１のジョイント２１３を介して、電源処理回路２２に伝送されて直流電源に変換され、これにより、検出スイッチ２３が、降圧電圧の直流電源を検出してから開放回路状態になり、また、マイクロプロセッサ２７に対して正常信号を送信し、マイクロプロセッサ２７は、充電回路２４に、充電電池２５に対して充電するように指示し、また、該電源処理回路２２が、同時に、駆動回路２６に対して、降圧が発生した非常電圧の直流電源を供給でき、これにより、駆動回路２６で光源２８をオフして、消灯する。また、本発明の知能型バルブ２０に図２のような火災や地震等の検出回路が実装される時、該火災検出２９３や地震検出２９２の検出器が、正常に作動でき、検出することを維持する。
【００１３】
主電源電力は、例えば、火災や色々の自然災害（例えば、台風や地震或いは竜巻…）の何れかの理由により停電する時、
（１）壁式スイッチ３０が、オン（ＯＮ）状態にあるとき、停電が発生すると、主電源５０が、壁式スイッチ３０や並列に接続されたバイパス回線１０を介してソケット４０に交流電源を供給できないため、該検出スイッチ２３が、直流電源を検出しなくて導通状態になり、また、マイクロプロセッサ２７に対して停電信号を送信し、この時、該マイクロプロセッサ２７は、充電電池２５に、導通される検出スイッチ２３を介して駆動回路２６に対して直流電源を供給するように指示し、また、駆動回路２６で光源２８を駆動し、光源２８が、停電が発生した瞬間に自動的に駆動され、非常用照明を提供し、また、電力が回復された時、自動的に、第１項の（１）状態に復帰できる。また、本発明に係わる知能型バルブ２０に、図２のような火災や地震等の検出回路が実装される時、該火災検出２９３や地震検出２９２の検出器も、充電電池２５により、必要とする電源が供給され、正常に作動でき、検出することを維持できる。
【００１４】
（２）壁式スイッチ３０が、オフ（ＯＦＦ）状態にある場合、停電が発生すると、主電源５０が、交流電源を伝送しないため、ソケット４０に交流電源が供給されず、そのため、該検出スイッチ２３は、直流電源を検出しないことにより、導通状態になり、また、マイクロプロセッサ２７に対して停電信号を送信し、この時、該マイクロプロセッサ２７は、充電電池２５に、導通した検出スイッチ２３を介して駆動回路２６に対して直流電源を供給するように指示し、また、駆動回路２６で自動的に光源２８を駆動し、これにより、光源２８が、停電が発生した瞬間で、自動的に駆動され、非常用照明を提供し、また、充電電池２５の電力が枯れた時、電力が回復されると、壁式スイッチ３０のバイパス回線１０により自動的に充電され、随時に、十分の電力を保持できる。また、本発明の知能型バルブ２０に、図２のような火災や地震等の検出回路が実装される時、該火災検出２９３や地震検出２９２の検出器も、充電電池２５により、必要とする電源が供給され、これにより、正常に作動ができて、検出を維持することができる。
【００１５】
本発明の知能型バルブ２０は、直接に、一般の壁式スイッチ３０により制御される従来のソケット４０に実装されることができるため、余計に新しい回線を配線することや元の回線を修正することが要らなく、同時に、壁式スイッチ３０に抵抗１１やダイオード１２を有するバイパス回線１０を並列に接続するだけで、実装作業全体が、簡単且つ快速的になり、また、該知能型バルブ２０は、平時に、一般の照明と、停電が発生する時の非常用照明との２重の用途に利用できるため、一般の従来ソケットや非常用照明灯より、機能性や実用性を有し、多様な環境において、壁式スイッチ３０により制御される従来のソケット４０に適用でき、これにより、非常用照明がより普及的になり、また、該知能型バルブ２０に人体検出器２９１や地震検出器２９２、火災検出器２９３或いは警報器２９４が実装されれば、人体や各種類の災害を検出して警報を発する機能が実現され、環境や人の安全を守ることができ、これにより、製品の付加価値が大幅に向上される。
【００１６】
以上は、ただ、本発明のより良い実施例であり、本発明は、それによって制限されることが無く、本発明に係わる特許請求の範囲や明細書の内容に基づいて行った等価の変更や修正は、全てが、本発明の特許請求の範囲内に含まれる。
【図面の簡単な説明】
【００１７】
【図１】本発明のより良い実施例の知能型バルブの内部構造と実装配置の概念図
【図２】本発明の他の実施例の知能型バルブの内部構造の概念図
【図３】本発明の壁式スイッチに並列に接続されるバイパス回線の他の概念図
【符号の説明】
【００１８】
１０      バイパス回線
１１      抵抗
１２      ダイオード
２０      バルブ
２１      バルブ本体
２１１    ケーシング
２１２    収納空間
２１３    ジョイント
２２      電源処理回路
２３      検出スイッチ
２４      充電回路
２５      充電電池
２６      駆動回路
２７      マイクロプロセッサ
２８      光源
２９１    人体検出器
２９２    地震検出器
２９３    火災検出器
２９４    警報器
３０      壁式スイッチ
４０      ソケット
５０      主電源
【図１】
0004776609.tif 000002
【図２】
0004776609.tif 000003
【図３】
0004776609.tif 000004